(57)【特許請求の範囲】
【請求項１】
セルラーネットワークにおける基地局の動作方法であって、前記基地局は第１のサービスエリアを有し、第２の基地局と関連付けられた第２のサービスエリアに位置しており、前記方法は、
前記基地局と前記第１のサービスエリアにおける複数の地点との間でのそれぞれの第１のパス・ロスの分布を推定する工程と、
前記基地局と、前記第２の基地局に接続されているユーザ機器との間での第２のパス・ロスを前記基地局において推定する工程と、
前記基地局が前記第２の基地局からの送信に対して干渉を引き起こしているかどうかを、前記推定された第１および第２のパス・ロスに基づいて判定する工程と、
を備え、
前記第２のパス・ロスを推定する工程は、前記基地局と、前記第２の基地局に接続されている１つ以上の近くのユーザ機器との間でのそれぞれの第２のパス・ロスの分布を推定する工程を備え、
前記基地局が干渉を引き起こしているかどうかを判定する工程は、前記第１のサービスエリアにおける複数の地点の第１の割合に対応する前記第１のパス・ロスの値と、前記第２の基地局と接続されている前記近くのユーザ機器から取得されるサンプルの第２の割合に対応する前記第２のパス・ロスの値と、を比較する工程を備えることを特徴とする方法。
【請求項２】
前記基地局と、前記第２の基地局に接続されているユーザ機器との間での第２のパス・ロスを前記基地局において推定する工程は、
前記第２の基地局に接続されている前記ユーザ機器の平均送信電力を推定する工程と、
前記第２の基地局に接続されている前記ユーザ機器によって送信される信号を前記基地局において検出する工程と、
前記推定された平均送信電力と、前記第２の基地局に接続されている前記ユーザ機器によって送信され前記検出された信号の電力との間の差異から前記第２のパス・ロスを推定する工程と、
を備えることを特徴とする請求項１に記載の方法。
【請求項３】
前記第２の基地局に接続されている前記ユーザ機器の前記平均送信電力を推定する工程は、
前記第２の基地局に接続されている前記ユーザ機器と、前記第２の基地局との間での第３のパス・ロスを推定する工程を備えることを特徴とする請求項２に記載の方法。
【請求項４】
前記第２の基地局に接続されている前記ユーザ機器と、前記第２の基地局との間での前記第３のパス・ロスを推定する工程は、
前記第２の基地局と、前記第１のサービスエリアにおける複数の地点との間でのそれぞれの第４のパス・ロスの分布を推定する工程と、
前記第３のパス・ロスを、前記第４のパス・ロスの判定された値と等しいとして推定する工程と、を備え、
前記第４のパス・ロスの前記判定された値は、前記第１のサービスエリアにおける前記複数の地点の特定割合に当てはまる前記第４のパス・ロスによって超過されることを特徴とする請求項３に記載の方法。
【請求項５】
前記特定割合は少なくとも９５％であることを特徴とする請求項４に記載の方法。
【請求項６】
前記基地局が前記第２の基地局からの送信に対して干渉を引き起こしていると判定された場合に前記基地局のユーザへ通知を送信する工程をさらに備えることを特徴とする請求項１乃至５の何れか１項に記載の方法。
【請求項７】
前記基地局が前記第２の基地局からの送信に対して干渉を引き起こしていると判定された場合に前記基地局の送信電力を低減する工程をさらに備えることを特徴とする請求項１乃至５の何れか１項に記載の方法。
【請求項８】
前記基地局が前記第２の基地局からの送信に対して干渉を引き起こしていると判定された場合に前記基地局からの送信を中止する工程をさらに備えることを特徴とする請求項１乃至５の何れか１項に記載の方法。
【請求項９】
セルラーネットワーク用の基地局であって、前記基地局は請求項１乃至８の何れか１項に記載の方法に従って動作するように構成されていることを特徴とする基地局。
【発明の詳細な説明】
【技術分野】
【０００１】
本発明は、フェムトセルアクセスポイントに関し、特にアクセスポイントにおける干渉低減に関する。
【背景技術】
【０００２】
近接しているマクロレイヤ基地局を含む、近くの基地局によって送信された信号を検出することによって行われる測定に基づいて、フェムトセルアクセスポイントがその送信電力を設定することが、国際公開第２００８／０９３１００号に既に開示されている。これらの信号は、フェムトセルアクセスポイント自身によって検出されることができ、または、フェムトセルアクセスポイントと接続されたモバイル機器によって検出されることもでき、当該モバイル機器は測定報告をフェムトセルアクセスポイントへ送信する。より具体的には、この所望のサービスエリアの外部での信号の漏出を最小化するために、（例えば、特定の住居または小さな事務所内の）所望のサービスエリアを通じて、十分なサービスと調和した最低値に、このフェムトセル送信電力を設定することが知られている。しかしながら、これに関わらず、利用者の家屋内でのフェムトセルアクセスポイントの実施は利用者の制御下にあるので、この漏出は全ての場合において回避することができない。例えば、利用者フェムトセルアクセスポイントを窓または外壁近くに配置するなら、フェムトセルアクセスポイントおよび周囲のマクロネットワークと接続されたモバイル機器からの送信間の干渉の可能性がある。
【発明の概要】
【０００３】
本発明の第１の側面によれば、セルラーネットワークにおける基地局を動作する方法であって、前記基地局は第１のサービスエリアを有し、第２の基地局と関連付けられた第２のサービスエリアに位置しており、前記方法は、
前記基地局と前記第１のサービスエリアにおける複数のポイントとの間でのそれぞれの第１のパス・ロスの分布を推定する工程と、
前記基地局と、前記第２の基地局と接続されているユーザ機器との間での第２のパス・ロスを前記基地局において推定する工程と、
前記基地局が前記第２の基地局からの送信と干渉を引き起こしているかどうかを、前記推定された第１および第２のパス・ロスに基づいて判定する工程と、
を備える方法が提供される。
【０００４】
従って、基地局は推定されたパス・ロスの分布に基づいて、干渉が生じる可能性があるかどうかを判定することができる。
【０００５】
本発明の第２の側面によれば、第１の側面の方法に従って動作するように構成された、基地局が提供される。
【図面の簡単な説明】
【０００６】
本発明をより良く理解するために、またそれがどのように実行されてもよいかを示すために、一例として添付の図面が参照される。
【図１】図１は、本発明に従ったモバイル通信システムの一部の概略図である。
【図２】図２は、本発明に従った方法を説明するフローチャートである。
【図３】図３は、図２で説明される方法を実行して取得される典型的な結果を説明する。
【発明を実施するための形態】
【０００７】
図１は、モバイル通信ネットワークの一部を示しており、フェムトセルアクセスポイント（ＦＡＰ）１０が、住居またはオフィスビルであってもよい利用者の家屋建物１２内に配置されている。また図１には、関連するユーザ機器（ＵＥ）は多くの形式をとってもよいことは理解されるだろうが、携帯電話の形式で、利用者のユーザ機器（ＵＥ）も示される。説明されるＵＥ１４はフェムトセルアクセスポイント１０に登録されており、それ故、フェムトセルアクセスポイント１０とモバイルネットワークのコアネットワークとの間のブロードバンドインターネット接続によって、フェムトセルアクセスポイント１０を通じ、モバイルネットワークオペレータ（移動体通信事業者）のセルラーネットワークへ接続することができる。フェムトセルアクセスポイント１０に登録された１より多くのＵＥがあってもよいが、ＵＥ１４は全てのそのようなＵＥを代表することが理解されよう。
【０００８】
図１で説明されるように、利用者の家屋１２は、フェムトセルアクセスポイント１０と同じセルラーネットワークにおいて、マクロレイヤ基地局、すなわちノードＢ ２０のサービスエリアに位置している。他のセルラーネットワークにも同じ原理が当てはまることは明らかではあるが、本発明は、ここではＵＭＴＳセルラーネットワークに関連して説明される。図１はまた、マクロレイヤ基地局２０のサービスエリア内の利用者の家屋１２に近接しているユーザ機器１２も示す。実際にはセルラーネットワークは多くのそのようなマクロレイヤ基地局を含むであろうが、本発明の理解のためにそれらの動作を説明する必要はないことが明らかであろう。一般的には多くのそのようなＵＥが存在するであろうが、ＵＥ２２は全てのそのようＵＥを代表することも明らかであろう。
【０００９】
周知のように、フェムトセルアクセスポイントは、セルラーネットワークでの使用周波数で信号を送受信する無線周波数送受信回路を備える。特に、フェムトセルアクセスポイントは、（ＵＥ１４等の）付属のＵＥと通信する間は、他の周波数の信号を検出することもできる。さらに、フェムトセルアクセスポイント１０は、以下で詳細に説明されるように、接続されたＵＥから測定報告を受信し、フェムトセルアクセスポイント自身によって受信される信号から情報を取得し、且つフェムトセルアクセスポイントの動作の側面を制御するプロセッサを含む。
【００１０】
一般に、モバイルネットワークオペレータは、２つ以上のキャリア周波数を有するだろう。第１の周波数は、‘キャンピングキャリア（camping carrier）’として知られていることが多く、複数のセル・サイトを有する全領域をカバーするために一般に使用される。第２のキャリアは、‘キャパシティキャリア（capacity carrier）’として知られていることが多く、キャパシティオフロードおよび／またはハイ・スピード・ダウンロード・パケット・アクセス（ＨＳＤＰＡ）のために使用される、あるエリアで実施されるのみである。オペレータは、キャンピングキャリアに関する干渉効果を最小化するために、キャパシティキャリアでフェムトセルアクセスポイントを実施することが多い。しかしながら、以下の説明は、フェムトセルアクセスポイント１０またはマクロレイヤ基地局２０の何れによってキャリアが使用されているかについて何も仮定していない。
【００１１】
この説明例では、ユーザ機器２２は、利用者の家屋１２と接続しておらず、フェムトセルアクセスポイント１０に登録されておらず、それ故フェムトセルアクセスポイント１０を通じてモバイルネットワークオペレータのセルラーネットワークへ接続することができない。これは、フェムトセルアクセスポイント１０が、マクロレイヤ基地局２０と同じキャリア周波数で信号を送信しているなら、フェムトセルアクセスポイント１０が家屋１２全体のサービスエリアを保証するのに十分高い送信電力で信号を送信しているなら、およびユーザ機器２２がフェムトセルアクセスポイント１０に非常に接近するなら、干渉の問題が生じるだろうというリスクにつながる。
【００１２】
具体的には、マクロレイヤにおいて受信した共通パイロットチャネルＣＰＩＣＨの全干渉（ｌｏ）に対するキャリア電力（Ｅｃ）の測定（すなわち、ＣＰＩＣＨ  Ｅｃ／ｌｏ値）が、あるレベル（一般に−１４ｄＢ から−１６ｄＢ）を下回る程度まで、マクロレイヤサービスエリアが低下しているフェムトセルアクセスポイント１０の周囲で、ユーザ機器２２は潜在的に‘デッドゾーン’にあるだろう。このことは、２つのマクロレイヤ基地局２０が含まれる場合のように、ユーザ機器２２をハンドオーバすることによって解決することはできない。それ故、ユーザ機器２２は、別のＵＭＴＳキャリア、あるいはＧＳＭキャリアへハンドオーバしなければならないかもしれない。
【００１３】
図２は、それ故フェムトセルアクセスポイント１０において実行され、そのような干渉の可能性を低減するフローチャートによって説明されるプロセスを示す。
【００１４】
一般論として、プロセスは、フェムトセルアクセスポイント１０および、サービスエリアで接続されるユーザ機器の間のパス・ロスと、フェムトセルアクセスポイント１０および、マクロレイヤ基地局と接続される近くのユーザ機器の間のパス・ロスと、を比較することによって干渉の可能性を判定する工程を含む。フェムトセルアクセスポイント１０と、マクロレイヤ基地局と接続されるそれらユーザ機器との間でリンクが確立されていないので、利用可能な情報からこのパス・ロスを推定する必要がある。
【００１５】
ステップ５０において、フェムトセルアクセスポイント１０は、フェムトセルアクセスポイントと接続されている１つ以上のユーザ機器（フェムトセルユーザ機器、ＦＵＥと称する）から測定報告を受信する。これらの測定報告は、ＦＵＥで測定され、フェムトセルが検出した希望波受信電力（ＲＳＣＰ）レベルと、ＦＵＥで測定され、周囲のマクロネットワークノードＢが検出した希望波受信電力（ＲＳＣＰ）レベルと、の両方を示す。
【００１６】
フェムトセルアクセスポイント１０は、その送信ＣＰＩＣＨ（パイロット）レベルを知っており、従って、送信ＣＰＩＣＨ（パイロット）レベルと、報告された検出ＣＰＩＣＨ ＲＳＣＰレベルとの間の差異を計算することができ、それはフェムトセルアクセスポイント１０とフェムトセルユーザ機器１４との間のパス・ロスであろう。
【００１７】
ユーザは、家屋１２の周囲、または少なくとも予期されるサービスエリアを移動し、従って、このパス・ロスはユーザの位置に依存して常に変化するだろうことが仮定されうる。ステップ５２において、フェムトセルアクセスポイント１０は、この第１のパス・ロスの統計分布を判定する。図３は、典型的な累積確率分布を説明しており、ここでライン３００は、任意のフェムトセルユーザ機器がその時々で、表示値よりも少ないフェムトセルアクセスポイントからのパス・ロスに直面する確率を示す。
【００１８】
ステップ５４において、この累積確率分布は、複数のフェムトセルユーザ機器の９０％によって改善される第１のパス・ロスの値Ｌ１を判定するために使用される。この理由は以下に説明される。
【００１９】
第１のパス・ロスの値Ｌ１は、複数のフェムトセルユーザ機器の任意の所望割合、例えば８０％、９０％、９５％、９８％等、によって改善される値に選択されうることが明らかであろう。さらに、パス・ロスの統計分布が判定される方法が国際公開第２００８／０９３１００号に説明されている一方、値Ｌ１を、測定の所望割合が下回るパス・ロス値として単純に判定することが代わりに可能であろう。
【００２０】
別個に、マクロレイヤ基地局２０と接続されたユーザ機器２２（マクロレイヤユーザ機器、ＭＵＥと称する）によって引き起こされるフェムトセルアクセスポイント１０におけるアップリンクノイズ発生を測定することによって、（通話が途切れたりハンドオーバされたりする前に）マクロレイヤユーザ機器送信電力を推定すること、従ってフェムトセルアクセスポイント１０においてフェムトセルアクセスポイントとマクロレイヤユーザ機器２２との間でのパス・ロスを、これらの２つのデバイス間で通信リンクを必要とすることなく、推定することが可能である。
【００２１】
周知のように、フェムトセルアクセスポイント１０は周期的に、マクロレイヤ近接セルからの送信を検出することが可能なリッスン（listen）モードに入ることができる。具体的には、ステップ６０において、フェムトセルアクセスポイント１０は、周囲のマクロレイヤ基地局（ＭＢＳ）、またはノードＢによって送信されるシステム情報ブロック（ＳＩＢ）に含まれる情報を復号し、これから、周囲のマクロレイヤ基地局によって使用されているスクランブリングコードおよびＣＰＩＣＨ送信電力を判定する。
【００２２】
ステップ６２において、フェムトセルアクセスポイント１０は、アクティブモードの任意のフェムトセルユーザ機器から測定報告を受信する。これらのフェムトセルユーザ機器は、周囲のマクロレイヤノードＢ近接物からの送信の検出ＣＰＩＣＨ ＲＳＣＰレベルを、フェムトセルアクセスポイントに報告する。これらの報告は、フェムトセルアクセスポイント１０によって使用されているのと同じ周波数で、または代替（一般に隣接する周波数）キャリアで、動作している近接物に関しうることに留意されたい。
【００２３】
従って、ステップ６４において、フェムトセルアクセスポイント１０は、フェムトセルアクセスポイント１０のサービスエリアと全てのマクロレイヤノードＢとの間のパス・ロス分布を計算することができる。図３は、典型的な累積確率分布を説明しており、ここでライン３１０は、任意のフェムトセルユーザ機器がその時々で、表示値よりも少ないマクロレイヤ基地局からのパス・ロスに直面する確率を示す。
【００２４】
フェムトセルユーザ機器１４は、その使用の一部について、家屋１２のウィンドウまたはオープンドア等に近接して配置されるだろうという仮定がなされる。この仮定に基づいて、マクロレイヤ基地局とフェムトセルユーザ機器との間のパス・ロスが最小値である場合に、マクロレイヤ基地局２０と、戸外または隣接家屋の何れかのそばにあるマクロレイヤユーザ機器２２との間の平均パス・ロスにその時々でこの値が類似するだろうという高い可能性がある。この根拠をなす仮定は、パス・ロス計算は対数スケールで実行されること、および、フェムトセルユーザ機器およびマクロレイヤユーザ機器の両方が、フェムトセルアクセスポイントの比較的小さなサービスエリアに渡って変化量が小さい、マクロレイヤ基地局の遠方場（far field）伝播エリアにあることである。従って、マクロレイヤ基地局２０とマクロレイヤユーザ機器との間の平均パス・ロスは、その時々で、マクロレイヤ基地局とフェムトセルユーザ機器との間のパス・ロスが最小値であることと類似している。
【００２５】
ステップ６６において、それ故、累積確率分布は、フェムトセルユーザ機器によって収集された全てのサンプルの２％が下回るマクロレイヤ基地局からのパス・ロスの値Ｌ２を判定するために使用される。
【００２６】
平均よりも小さいパス・ロス値を使用することは、ここで説明したように、マクロレイヤユーザの送信電力を過小推定する傾向があり、従って、マクロレイヤユーザ機器がフェムトセルアクセスポイントと一緒に用いられる状況を強調する。しかしながら、第１のパス・ロスの値Ｌ２が、フェムトセルユーザ機器の任意の所望割合、例えば、１％、２％、３％、５％等によって改善される値であるように選択されうることが明らかであろう。さらに、パス・ロスの統計分布が判定される方法が説明されている一方、値Ｌ２を、測定の所望割合が下回るパス・ロス値として単純に判定することが代わりに可能であろう。
【００２７】
値Ｌ２はその場合、マクロレイヤユーザ機器と、その供給マクロレイヤ基地局との間のチャネルに渡って、フェムトセルアクセスポイント１０に近接しているマクロレイヤユーザ機器によって直面される平均パス・ロスの推定値として使用される。
【００２８】
ステップ６８において、マクロレイヤユーザに対するこの推定されたパス・ロス値Ｌ２は、ノードＢ ２０の典型的なノイズ・フロアーの知識を持った上で、適応型マルチレート（ＡＭＲ）圧縮技術または推定リンクパフォーマンス値ＥｂＮ０を有する他の音声タイプを推定して、以下のようなマクロレイヤユーザ機器の平均送信電力を推定するために使用される。
【００２９】
平均ＭＵＥ Ｔｘ電力＝Ｌ２＋ノードＢノイズ・フロアー−処理ゲイン＋ＥｂＮ０
【００３０】
マクロレイヤユーザ機器の平均送信電力のこの推定は、マクロレイヤユーザ機器が、パス・ロスの変化量が小さいマクロレイヤ基地局の遠方場にあるので、受容可能に正確であろう。さらにその上、マクロレイヤユーザ機器は、最小パス・ロスが存在するノードＢと接続されるであろうことが予期される。音声についてサービスリンク性能係数（performance figure）の使用が好ましい。なぜならこれは通常最も一般に使用されるサービスであるからである。さらに、これは最低平均マクロレイヤユーザ機器Ｔｘ電力を暗に意味するであろうし、従ってフェムトセルアクセスポイントに対する最小パス・ロス分布を暗に意味するであろう。どちらかといえば、これは、パス・ロスを過小推定し、従ってマクロレイヤユーザ機器干渉の影響を過度に強調しうる。
【００３１】
ひとたび平均マクロレイヤユーザ機器Ｔｘ電力が推定されると、フェムトセルアクセスポイント１０と、ＵＥ２２等の近くのマクロレイヤユーザ機器との間でのパス・ロスの分布を判定することが可能になる。具体的には、この推定平均ＵＥ Ｔｘ電力、およびフェムトセルアクセスポイントで受信される信号強度の測定に基づいて、フェムトセルアクセスポイント１０とＵＥ２２との間でのパス・ロスについて、値が取得されうる。
【００３２】
具体的には、ステップ７０において、フェムトセルアクセスポイント１０は、近くのマクロレイヤユーザ機器によって送信される信号を検出する。具体的には、フェムトセルアクセスポイント１０は、それが使用しているキャリア上で受信されるアップリンク（ＵＬ）信号のＲＳＳＩを測定し、あるいは、そのキャリアを周期的にスキャンすることによって隣接キャリアまたは代替キャリア上での信号のＲＳＳＩを測定しうる。例えば、フェムトセルアクセスポイント１０は、一般に、１分ごとに約１０ミリ秒間隣接キャリアに対してスキャンし、ＵＬデータのフレームをキャプチャする。
【００３３】
ここでの仮定は、フェムトセルと接続されている任意のユーザ機器は、その内部／外部のループ電力制御を通じて電力制御され、フェムトセルアクセスポイントで検出されるアップリンクＲＳＳＩレベルのすぐ上のレベルをとり、従って検出されたＲＳＳＩレベルにはほとんど影響を与えないということである。しかしながら、必要に応じて、これらフェムトセルユーザ機器の影響を取り去るために、アクションがとられうる。さらにその上、フェムトセルアクセスポイントに最も近接しており、その信号がフェムトセルアクセスポイントで測定されるＲＳＳＩを支配すると仮定されるマクロレイヤユーザ機器を考慮することのみが必要である。
【００３４】
ステップ７２において、フェムトセルアクセスポイント１０に割り当てられているキャリア周波数で測定された信号は、ＲＳＳＩ測定のヒストグラムを構築することによって、その周波数でのＲＳＳＩ分布を判定するために使用されうる。
【００３５】
前に説明したように、マルチ周波数が、オペレータのネットワーク上で動作中でありうる。フェムトセルアクセスポイントがこれらのキャリアの１つにおいて干渉を引き起こしているなら、マクロレイヤユーザ機器は、そのキャリアを回避せざるをえないかもしれない。例えば、上述したように、ネットワークオペレータは、２つのキャリア周波数を、キャンピング・キャリアおよびキャパシティ・キャリアとして実施してもよく、キャパシティ・キャリアはフェムトセルアクセスポイントによって使用され、またＨＳＤＰＡ等の追加サービスのためにマクロレイヤ基地局によって使用もされる。ここでフェムトセルアクセスポイントは、キャパシティ・キャリアで干渉を引き起こし、このことは、ユーザ機器がキャンピング・キャリアに留まらざるをえず、ＨＳＤＰＡサービスにアクセスできないであろうことを意味するかもしれない。
【００３６】
ステップ７２で取得される判定されたＲＳＳＩ分布、およびステップ６８で判定された推定平均マクロレイヤユーザ機器Ｔｘ電力を使用して、フェムトセルアクセスポイントは、第２のパス・ロス、すなわちフェムトセルアクセスポイント１０と、ユーザ機器２２等の支配的すなわち最も近接しているマクロレイヤユーザ機器との間でのパス・ロス、の分布について、ステップ７４において推定値を取得することができる。具体的には、フェムトセルアクセスポイントは、２つのキャリア周波数に関する限り、別個の推定値を取得することができる。
【００３７】
第２のパス・ロスの分布（キャリア１）＝平均ＭＵＥＴｘ電力−ＲＳＳＩ分布
（キャリア１）
第２のパス・ロスの分布（キャリア２）平均ＭＵＥＴｘ電力−ＲＳＳＩ分布
（キャリア２）
【００３８】
従って、フェムトセルアクセスポイントは、２つのキャリアに関して、フェムトセルアクセスポイント１０と支配的なマクロレイヤユーザ機器との間でのパス・ロスについて別個の推定値を取得することができる。支配的なマクロレイヤユーザ機器がキャリア１において送信していると仮定すると、フェムトセルアクセスポイント１０がその周波数でより高いＲＳＳＩレベルを測定し、そしてその周波数でのパス・ロスについて過小推定された値を取得するだろう。
【００３９】
以下でより詳細に説明されるような、これらのパス・ロスについての推定値が使用されうる方法のため、このことは役立つ結果を提供する。
【００４０】
図３は、典型的な累積確率分布を説明しており、ここでライン３２０は、任意のマクロレイヤユーザ機器がその時々で、表示値よりも少ないフェムトセルアクセスポイントからのパス・ロスに直面する確率を示す。特に、値Ｌ３は、マクロレイヤユーザ機器の５％のみが下回る第２のパス・ロスの値である。この値の使用は、以下に詳細に説明されるだろう。
【００４１】
本発明の１つの側面によれば、プロセスのステップ９０において、ある干渉イベントが、一方において、フェムトセルアクセスポイント１０と、その接続されたユーザ機器との間での第１のパス・ロスの分布（および結果として生じるパス・ロス値Ｌ１）の知識、および他方において、フェムトセルアクセスポイント１０とマクロレイヤ接続されたユーザ機器との間での第２のパス・ロスの分布（およびキャリア１およびキャリア２について結果として生じるパス・ロス値Ｌ３）の知識から推論されうる。
【００４２】
例えば、マクロレイヤ基地局２０についてのキャンピング・キャリアがキャリア１であり、ＨＳＤＰＡキャパシティ・キャリアがキャリア２であり、フェムトセルアクセスポイント１０が、キャリア２で実施される状況では、干渉イベントは以下のように検出されうる。
【００４３】
具体的には、図３に示される値Ｌ３とＬ１との間で比較がなされうる。上述したように、キャリア１およびキャリア２について取得された値Ｌ３が、（図３に説明されるように）値Ｌ１よりも少ないなら、このことは、少なくとも非常に少数のマクロレイヤユーザ機器が、非常に少数のフェムトセルユーザ機器よりも低いパス・ロスで、フェムトセルアクセスポイント１０から信号を受信していることを意味する。これは、フェムトセルアクセスポイント１０が、家屋１２において悪く配置されていたかもしれず、その結果マクロレイヤユーザへの干渉を引き起こす（接続されたフェムトセルＵＥによる受信の成功を保証するための）高い電力でその信号を送信する必要があることを示唆する。
【００４４】
従って、ステップ９２において、この状況を改善するためのアクションがとられる。例えば、フェムトセルアクセスポイントの利用者は、フェムトセルアクセスポイントデバイスを再位置するように通知されてもよい。
【００４５】
ユーザによってフェムトセルアクセスポイントデバイスが再配置される時間まで、その最大送信電力を低減することによって、あるいはその送信器をスイッチオフさえすることによって、（その接続されたユーザに対する信号強度を低減してしまうが）マクロレイヤユーザへの干渉のリスクを低減するための措置を独立して講じてもよい。
【００４６】
あるいは、キャリア１およびキャリア２についての第２のパス・ロスの分布３２０は、近くのマクロレイヤユーザへ引き起こされる干渉に対して、フェムトセルアクセスポイントの屋内サービスエリアを交換する（ステップ関数アプローチというよりはむしろ）ソフトバイアス関数における第１のパス・ロスの分布３００と組み合わせて使用されうる。多かれ少なかれ積極的な動的調整が、フェムトセルアクセスポイント上に（あるいはアクティブモードで）留まる任意のユーザが存在し、パス・ロス間に相対的差異が存在するかどうかに依存してなされうる。この場合、再び、フェムトセルアクセスポイントの利用者は、そのサービスエリアに障害が起きていること、およびフェムトセルアクセスポイントデバイスを再配置する選択肢を有することも通知されてもよい。
【００４７】
さらなる代替として、マクロレイヤ基地局２０についてのキャンピング・キャリアがキャリア１であり、フェムトセルアクセスポイント１０がキャリア２で実施される状況において、キャリア１についての第２のパス・ロスの中央値（すなわち図３におけるライン３２０上の５０％のポイント）が、第１のパス・ロスの中央値（すなわちライン３００上の５０％のポイント）よりも少ないなら、これは、フェムトセルアクセスポイントに登録されていない多数のマクロレイヤユーザが、家屋１２を‘訪問’していることを暗示する。この場合、これらのユーザは、もし彼らが登録するなら全マクロレイヤサービス提供を楽しむことができるだろし、そこで、利用者がこれらのマクロレイヤユーザを登録すべきことを示唆する、適切な通知がフェムトセルアクセスポイントの利用者へ送信されうる。
【００４８】
フェムトセルアクセスポイントとフェムトセルユーザ機器との間、およびフェムトセルアクセスポイントとキャリア１およびキャリア２について収集されるマクロレイヤユーザ機器との間での計算されたパス・ロスのさらなる論理的組み合わせが、干渉問題が生じる可能性がある場合に関して、代替決定を行うために使用されうる。そのような場合、ユーザに救済的アクションをとるように導くことが可能になり、あるいはフェムトセルアクセスポイントは、フェムトセルユーザのパフォーマンスを犠牲にして同一場所にあるマクロレイヤユーザへの干渉の影響を最小化するようにその送信電力を調整しうる。
【００４９】
この情報は、フェムトセルアクセスポイントのサービスエリア内にいる場合に生じるだろう未登録マクロレイヤユーザによって試みられた（且つ失敗した）位置エリア登録から取得される情報と組み合わされうる。
【００５０】
ゾーンゲート・マネジメント・システムにおいて提供されるパラメータを通じて、オペレータは、マクロレイヤユーザへの影響を最小化する積極的なステップをとるように、あるいは、フェムトセルユーザへの影響を最小化するだろうより積極的ではないステップをとるように、アルゴリズムのふるまいにバイアスをかけうる。ＫＰＩは例えば、ローカル干渉によって引き起こされる許可マクロレイヤの途切れた通話数、あるいはフェムトセルアクセスポイント周囲の許可デッド・ゾーンのサイズを定義しうるという点で、バイアス値は、キー・パフォーマンス・インジケータ（ＫＰＩ）の関数として計算されうる。
【００５１】
従って、マクロレイヤユーザとフェムトセルアクセスポイントとの間での推定されたパス・ロスに基づいて、非接続マクロレイヤユーザ機器について受容不可能な干渉レベルを示すかもしれない状態を検出する方法が提供される。
【図１】
0005723875.tif 000002
【図２】
0005723875.tif 000003
【図３】
0005723875.tif 000004